(57)【特許請求の範囲】
【請求項１】
試料処理量を高めるためのシステムであって、
試料内の分析物に曝露されたことに応答してデータ信号を生成するように構成されたセンサと、
前記データ信号と関連付けられたデータポイントを記録し、
動的領域時間範囲の一部に対応する一連のデータポイントを前記記録されたデータポイントから選択し、
前記選択されたデータポイントを、動的領域時間範囲の一部に対応することから、対数時間スケールに対応するように変換し、
前記変換されたデータポイントを評価し、
前記評価され選択されたデータポイントにあてはまる曲線を決定し、
前記曲線に対応する曲線あてはめ方程式を決定し、前記曲線あてはめ方程式が、ｓ（ｔ）＝ａ＊（ｌｏｇ（ｔ））＾２＋ｂ＊ｌｏｇ（ｔ）＋ｃという形であり、式中、ｔは時間を表し、ａ、ｂ及びｃは二次多項式のためのフィットパラメータであり、初期センサ応答に基づいて決定され、
前記曲線あてはめ方程式を用いて前記センサのエンドポイント応答を外挿し、及び
前記試料処理量を高めるために前記外挿されたエンドポイント応答を用いて前記分析物に対応する値を計算する
ように構成されたプロセッサと
を含む、システム。
【請求項２】
前記データポイントが、等間隔で記録される、請求項１に記載のシステム。
【請求項３】
前記動的領域時間範囲が、前記センサが前記分析物に最初に曝露される第１の時間から、前記センサにより生成された前記データ信号が前記センサの実際のエンドポイント応答と実質的に類似したものとなる第２の時間までにわたる、請求項１に記載のシステム。
【請求項４】
前記動的領域時間範囲の前記一部が、前記センサが前記分析物に曝露されてから約１５秒後に始まる、請求項３に記載のシステム。
【請求項５】
前記動的領域時間範囲の前記一部が、前記センサが前記分析物に曝露されてから約３０秒後に終わる、請求項３に記載のシステム。
【請求項６】
前記曲線あてはめ方程式を用いて前記センサのエンドポイント応答を外挿することが、その後前記センサにより生成される前記データ信号が前記センサの実際のエンドポイント応答と実質的に類似したものとなる時間について、前記曲線あてはめ方程式を解くことを含む、請求項１に記載のシステム。
【請求項７】
前記センサが、拡散制御応答を有するように構成されている、請求項１に記載のシステム。
【請求項８】
前記プロセッサが、さらに、
前記計算されたエンドポイント応答を用いて前記分析物の濃度を決定し、
前記決定された前記分析物の濃度を提示する
ように構成されている、請求項１に記載のシステム。
【請求項９】
前記プロセッサが、さらに、前記計算された前記分析物に対応する値を検証するように構成されている、請求項１に記載のシステム。
【請求項１０】
前記計算されたエンドポイント応答を検証することが、
変動係数を決定すること、
決定係数を決定すること、及び
前記決定された変動係数及び決定係数が許容可能な限度の範囲内にあるか否かを判断すること
を含む、請求項９に記載のシステム。
【請求項１１】
前記プロセッサが、さらに、
前記計算されたエンドポイント応答を用いて前記分析物の濃度を決定し、
前記決定された変動係数及び決定係数が許容可能な限度内にあると判断した時には、前記決定された前記分析物の濃度をフラグなしで提示し、及び
前記決定された変動係数及び決定係数の少なくとも一方が許容可能な限度内にないと判断した時には、前記決定された前記分析物の濃度をフラグ付きで提示する
ように構成されている、請求項１０に記載のシステム。
【請求項１２】
前記計算された前記分析物に対応する値を出力として提示すること
をさらに含む、請求項１に記載のシステム。
【請求項１３】
試料処理量を高めるための方法であって、
試料内の分析物に曝露されたことに応答して生成されたデータ信号をセンサから受信する工程と、
前記データ信号と関連付けられたデータポイントを記録する工程と、
動的領域時間範囲の一部に対応する一連のデータポイントを前記記録されたデータポイントから選択する工程と、
前記選択されたデータポイントを対数時間スケールに変換する工程と、
前記選択されたデータポイントにあてはまる曲線を決定する工程と、
前記曲線に対応する曲線あてはめ方程式を決定する工程であって、前記曲線あてはめ方程式が、ｓ（ｔ）＝ａ＊（ｌｏｇ（ｔ））＾２＋ｂ＊ｌｏｇ（ｔ）＋ｃという形のものであり、式中、ｔは時間を表し、ａ、ｂ及びｃは二次多項式のためのフィットパラメータであり、初期センサ応答に基づいて決定される、決定する工程と、
前記曲線あてはめ方程式を用いて前記センサのエンドポイント応答を外挿する工程と、
前記試料処理量を高めるために前記外挿されたエンドポイント応答を用いて前記分析物に対応する値を計算する工程と
を含む、方法。
【請求項１４】
動的領域時間範囲の一部に対応する一連のデータポイントを前記記録されたデータポイントから選択する工程が、前記センサが前記分析物に最初に曝露された時に始まり、前記センサによって生成される前記データ信号が前記センサの実際のエンドポイント応答と実質的に類似したものとなる時に終わる期間に対応するデータポイントを選択することを含む、請求項１３に記載の方法。
【請求項１５】
動的領域時間範囲の一部に対応する一連のデータポイントを前記記録されたデータポイントから選択する工程が、前記センサが前記分析物に曝露されてから約１５秒後に始まり、前記センサが前記分析物に曝露されてから約３０秒後に終わる期間に対応するデータポイントを選択することを含む、請求項１３に記載の方法。
【請求項１６】
前記曲線あてはめ方程式を用いて前記センサのエンドポイント応答を外挿する工程が、その後前記センサにより生成される前記データ信号が前記センサの実際のエンドポイント応答と実質的に類似したものとなる時間について、前記曲線あてはめ方程式を解くことを含む、請求項１３に記載の方法。
【請求項１７】
前記計算されたエンドポイント応答を用いて前記分析物の濃度を決定する工程と、
前記決定された前記分析物の濃度を提示する工程と
をさらに含む、請求項１３に記載の方法。
【請求項１８】
前記プロセッサが、さらに、前記計算された前記分析物に対応する値を、
変動係数を決定すること、
決定係数を決定すること、及び
前記決定された変動係数及び決定係数が許容可能な限度の範囲内にあるか否かを判断すること
によって検証するように構成されている、請求項１３に記載の方法。
【請求項１９】
コンピュータ実行可能命令を記憶したコンピュータ可読記憶媒体であって、前記コンピュータ実行可能命令は、コンピュータにより実行される際に、前記コンピュータに、
センサから、試料内の分析物に曝露されたことに応答して生成されたデータ信号を受信させ、
時間範囲に対応する前記データ信号と関連付けられた一連のデータポイントを選択させ、
前記一連のデータポイントを対数時間スケールに変換させ、
前記センサから受信された前記一連のデータポイントにあてはまる、二次方程式により定義される曲線を決定させ、前記曲線あてはめ方程式が、ｓ（ｔ）＝ａ＊（ｌｏｇ（ｔ））＾２＋ｂ＊ｌｏｇ（ｔ）＋ｃという形であり、式中、ｔは時間を表し、ａ、ｂ及びｃは二次多項式のためのフィットパラメータであり、初期センサ応答に基づいて決定され、
前記曲線を用いて前記センサのエンドポイント応答を外挿させ、及び
前記外挿されたエンドポイント応答を用いて前記分析物に対応する値を計算させる、コンピュータ可読記憶媒体。
【請求項２０】
さらなるコンピュータ実行可能命令を記憶しており、前記コンピュータにより実行される際に、前記コンピュータに、
前記計算された前記分析物に対応する値を用いて前記分析物の濃度を決定させ、及び
前記決定された前記分析物の濃度を提示させる、請求項１９に記載のコンピュータ可読記憶媒体。
【請求項２１】
さらなるコンピュータ実行可能命令を記憶しており、前記コンピュータにより実行される際に、前記コンピュータに、
変動係数を決定すること、
決定係数を決定すること、及び
前記決定された変動係数及び決定係数が許容可能な限度の範囲内にあるか否かを判断すること
によって前記計算された前記分析物に対応する値を検証させる、請求項１９に記載のコンピュータ可読記憶媒体。
【請求項２２】
試料処理量を高めるために分析物濃度測定アプリケーションを記憶する非一時的なコンピュータ可読記憶媒体であって、前記アプリケーションは、
プロセッサに１個以上のセンサからデータ信号を受信させるセンサ通信モジュールと、
前記プロセッサに前記データ信号からデータポイントを捕捉し記録させるデータポイント報告モジュールと、
前記プロセッサに前記データポイントから予め規定されたデータポイントを選択させるデータポイント選択モジュールと、
前記プロセッサに前記予め規定されたデータポイントに対応する時間の対数関数を取得させる曲線あてはめモジュールであって、前記時間の対数関数はｓ（ｔ）＝ａ＊（ｌｏｇ（ｔ））＾２＋ｂ＊ｌｏｇ（ｔ）＋ｃという形の曲線あてはめ方程式から取得されるものであり、式中、ｔは時間を表し、ｓ（ｔ）は時間ｔにおけるデータポイントを表し、ａ、ｂ及びｃは二次多項式のためのフィットパラメータであり、前記予め規定されたデータポイントに基づいて決定される、曲線あてはめモジュールと、
前記プロセッサに前記１個以上のセンサからのセンサのエンドポイント応答を外挿させる外挿モジュールと、
前記プロセッサに前記エンドポイント応答を検証させる検証モジュールと、
試料処理量を高めるために、前記プロセッサに前記エンドポイント応答を用いて試料内の分析物の濃度を決定させる分析物濃度記録モジュールと、
を含む、非一時的なコンピュータ可読記憶媒体。
【請求項２３】
前記データポイント選択モジュールが、さらに、前記予め規定されたデータポイントが前記センサの前記応答の動的領域内にあるように前記予め規定されたデータポイントを選択するよう構成される、請求項２２に記載の分析物濃度測定アプリケーションを記憶する非一時的なコンピュータ可読記憶媒体。
【請求項２４】
前記動的領域は、前記センサが分析物に最初に曝露される第１の時間から、前記センサによって生成された前記データ信号が前記センサのエンドポイント応答と実質的に類似したものとなる第２の時間までにわたる、請求項２３に記載の分析物濃度測定アプリケーションを記憶する非一時的なコンピュータ可読記憶媒体。
【請求項２５】
前記動的領域が、前記センサが分析物に曝露されてから約１５秒後に始まる、請求項２４に記載の分析物濃度測定アプリケーションを記憶する非一時的なコンピュータ可読記憶媒体。
【請求項２６】
前記動的領域が、前記センサが分析物に曝露されてから約３０秒後に終わる、請求項２４に記載の分析物濃度測定アプリケーションを記憶する非一時的なコンピュータ可読記憶媒体。
【請求項２７】
前記データポイント選択モジュールが、さらに、等しい時間間隔で前記データポイントを記録するよう構成される、請求項２２に記載の分析物濃度測定アプリケーションを記憶する非一時的なコンピュータ可読記憶媒体。
【請求項２８】
前記曲線あてはめモジュールが、さらに、前記予め規定されたデータポイントをプロットするよう構成される、請求項２２に記載の分析物濃度測定アプリケーションを記憶する非一時的なコンピュータ可読記憶媒体。
【請求項２９】
前記外挿モジュールが、さらに、前記曲線あてはめ方程式を用いて前記エンドポイント応答を外挿するよう構成される、請求項２２に記載の分析物濃度測定アプリケーションを記憶する非一時的なコンピュータ可読記憶媒体。
【請求項３０】
前記外挿モジュールが、さらに、前記センサ応答曲線の平衡領域内にある時間において前記曲線あてはめ方程式を評価するよう構成される、請求項２２に記載の分析物濃度測定アプリケーションを記憶する非一時的なコンピュータ可読記憶媒体。
【請求項３１】
前記検証モジュールが、さらに、変動係数および決定係数を決定するよう構成される、請求項２２に記載の分析物濃度測定アプリケーションを記憶する非一時的なコンピュータ可読記憶媒体。
【請求項３２】
前記変動係数（ＣＶ）は、
ＣＶ＝（実測値の標準偏差）／（実測値の平均）
により求められ、
前記決定係数（Ｒ２）は、
0005976809.tif 000002
により求められるものであって、
yiはｉ番目の実測値（データ信号）であり、
0005976809.tif 000003
はyの平均（平準）値であり、
fiは前記曲線あてはめ方程式から計算されたｉ番目の値である、請求項３１に記載の分析物濃度測定アプリケーションを記憶する非一時的なコンピュータ可読記憶媒体。
【請求項３３】
前記検証モジュールが、さらに、前記変動係数および前記決定係数が予め規定された許容可能な限度の範囲内にあるか否かを決定するよう構成される、請求項３１に記載の分析物濃度測定アプリケーションを記憶する非一時的なコンピュータ可読記憶媒体。
【請求項３４】
前記分析物濃度報告モジュールが、さらに、前記変動係数および前記決定係数が前記予め規定された許容可能な限度の範囲内にないと決定された場合は、前記分析物の前記濃度と、前記変動係数および前記決定係数が前記予め規定された許容可能な限度の範囲内にないことを示すフラグとを報告するよう構成される、請求項３３に記載の分析物濃度測定アプリケーションを記憶する非一時的なコンピュータ可読記憶媒体。
【請求項３５】
前記分析物濃度報告モジュールが、さらに、前記変動係数および前記決定係数が前記予め規定された許容可能な限度の範囲内にあると決定された場合は、前記分析物の前記濃度を報告するよう構成される、請求項３３に記載の分析物濃度測定アプリケーションを記憶する非一時的なコンピュータ可読記憶媒体。
【発明の詳細な説明】
【技術分野】
【０００１】
本発明は、試料処理量を高めることに関する。本発明は、より具体的には、体液（例えば、血液）の自動臨床分析器などのデバイス、及び体液試料中の分析物の存在に応答する電気化学的センサのエンドポイント応答を予測することによって当該分析器による試料処理量を高めるための方法に関する。
【背景技術】
【０００２】
様々な臨床的状況において、患者の血液の特定の化学的特性（例えば、ｐＨ、ヘマトクリット、カルシウム、カリウム、塩化物、ナトリウム、グルコース、乳酸塩、クレアチニン、クレアチン、尿素のイオン濃度、Ｏ２及び／又はＣＯ２の分圧など）を測定することは重要である。こうした状況は、通常の病院訪問、手術室（ｓｕｒｇｉｃａｌ  ｓｕｉｔｅ）、集中治療室、又は救急室において生じ得る。分析応答が得られる速度は、治療及び治療結果を決定する上で重要である。センサの応答時間の遅延は、診断を遅らせ、それに伴い、適切な治療の適用を遅らせる。そのような遅延は、予後及び臨床結果に影響を与え得る。
【０００３】
米国特許第６，６５２，７２０号明細書、同第７，６３２，６７２号明細書、同第７，０２２，２１９号明細書、及び同第７，９７２，２８０号明細書（その各々の全開示内容が参照により本明細書に組み込まれる）に記載されているもののような電気化学的センサが、典型的に、患者の血液の血液化学分析を提供するために使用される。
【０００４】
従来の微小電極は、血液試料の化学的特性に比例して電気信号を生成する。こうした電気信号を生成するために、センサシステムは、化学的又は生化学的認識成分（例えば、酵素）と物理的変換器（例えば、白金電極）とを併せ持ち得る。従来からの化学的又は生化学的認識成分は、目的の分析物と選択的に相互作用して、必要とされる電気信号を、直接的又は間接的に、変換器を通じて生成する。
【０００５】
特定の生化学的認識成分の選択性により、電気化学的センサが、複雑な分析物混合物（例えば、血液）中であっても特定の生物学的分析物を正確に検出することが可能になる。これらのセンサが応答を提供する際の精度及び速度は、自動臨床分析器の重要な特徴である。
【０００６】
臨床試料分析システム製造業者の目標の１つは、試料処理量を高めることである。近年の革新は、センサがエンドポイント応答を提供するのに要する時間であるセンサのエンドポイント応答時間を短縮することにその注意を集中してきた。従来の臨床分析システムにおいては、センサがエンドポイント応答を提供すると、その応答がコンピュータに提供され、コンピュータが様々な数学的演算を行って、エンドポイント応答を体液試料内の分析物の濃度に変換する。センサがエンドポイント応答を提供するのに要する時間は、試料が分析される時間に影響し、これが最終的に、試料処理量を決定する。
【発明の概要】
【発明が解決しようとする課題】
【０００７】
したがって、診断及び治療的介入を促進するために、体液試料を分析するのに要する時間を短縮する必要性がある。
【課題を解決するための手段】
【０００８】
本発明は、先行技術のデバイス及び方法の欠点を克服するものであり、試料中の分析物の分析のためのセンサのエンドポイント応答時間を予測することによって試料（例えば、体液試料）処理量を高める技術に向けられている。本明細書に記載される種々の実施形態によれば、本発明は、試料中の分析物に曝露されたことに応答してセンサによって生成されるデータ信号から導出される曲線あてはめ方程式を決定することによってセンサのエンドポイント応答を外挿する技術を記述している。種々の実施形態において、曲線あてはめ方程式は、ｓ（ｔ）＝ａ（ｌｏｇ（ｔ））２＋ｂ（ｌｏｇ（ｔ））＋ｃという一般形を有する二次対数多項式であり、式中、ａ、ｂ及びｃは、変換されたデータポイントに基づいて決定される多項式係数であり、ｓ（ｔ）は、特定の時間ｔにおける計算されたセンサ出力である。
【０００９】
１つの態様において、試料処理量を高めるためのシステムは、試料内の分析物の測定値と関連付けられた複数のデータ信号を生成するように構成されたセンサを含む。当該システムは、プロセッサをさらに含み、プロセッサは、動的領域内の特定の時間範囲に対応するデータポイントを記録し、その記録されたデータポイントを時間スケールの対数関数に変換し、その変換されたデータポイントをプロットする。プロセッサは、次いで、そのプロットされたデータポイントにあてはまる曲線を決定し、その曲線について曲線あてはめ方程式を決定する。曲線あてはめ方程式が決定されると、プロセッサは、その曲線あてはめ方程式を用いてセンサのエンドポイント応答を外挿する。次いで、その外挿されたエンドポイント応答を用いて分析物濃度などの値が計算される。
【００１０】
別の態様において、試料処理量を高めるための方法は、試料内の分析物に曝露されたことに応答してセンサによって生成されたデータ信号を受信する工程を含む。データ信号が受信されると、そのデータ信号と関連付けられたデータポイントが記録される。その記録されたデータポイントから動的領域時間範囲の一部に対応する一連のデータポイントが選択され、次いで時間スケールの対数関数に変換され、プロットされる。データポイントにあてはまる曲線が生成され、その曲線についての二次対数方程式が決定される。曲線あてはめ方程式が決定されると、プロセッサは、その曲線あてはめ方程式を用いてセンサのエンドポイント応答を外挿する。次いで、その外挿されたエンドポイント応答を用いて分析物濃度などの値が計算される。
【００１１】
さらに別の態様において、コンピュータ可読記憶媒体は、試料内の分析物に曝露されたことに応答してセンサによって生成されたデータ信号を受信するためのコンピュータ実行可能命令を含む。データ信号が受信されると、データ信号と関連付けられたデータポイントが記録される。その記録されたデータポイントから動的領域時間範囲の一部に対応する一連のデータポイントが選択され、次いで時間スケールの対数関数に変換され、プロットされる。データポイントにあてはまる曲線が生成され、その曲線についての二次対数方程式が決定される。曲線あてはめ方程式が決定されると、プロセッサは、曲線あてはめ方程式を用いてセンサのエンドポイント応答を外挿する。次いで、その外挿されたエンドポイント応答を用いて分析物濃度などの値が計算される。
【図面の簡単な説明】
【００１２】
本発明のこれらの実施形態及び他の態様は、下記の詳細な説明及び添付の図面から容易に理解できるであろう。当該詳細な説明及び図面は、本発明を例示することが意図されるものであって本発明を限定することが意図されるものではない。ここで、図面は次のとおりである。
【図１】図１は、本発明の１つの実施形態に従う分析物濃度測定システムの例示的な構成図を図示したものである。
【図２】図２は、本発明の１つの実施形態に従うグルコースの濃度を測定するためのセンサによって生成された実験データについての時間に対する電圧の例示的なプロットを示したものである。
【図３】図３は、本発明の１つの実施形態に従う図２の実験データの一部を用いた時間の対数関数に対する電圧の例示的なプロットを示したものである。
【図４】図４は、本発明の１つの実施形態に従うセンサのエンドポイント応答を予測するための例示的な論理流れ図である。
【発明を実施するための形態】
【００１３】
本発明は、試料中の分析物の分析のためのセンサのエンドポイント応答時間を予測することによって自動臨床分析器における試料（例えば、体液試料）処理量を高める技術に向けられている。本明細書に記載される種々の実施形態によれば、本発明は、試料に曝露されたことに応答してセンサによって生成されるデータ信号から導出される曲線あてはめ方程式を決定することによってセンサのエンドポイント応答を外挿する技術を記述している。種々の実施形態において、曲線あてはめ方程式は、ｓ（ｔ）＝ａ（ｌｏｇ（ｔ））２＋ｂ（ｌｏｇ（ｔ））＋ｃという一般形を有する二次対数多項式であり、式中、ａ、ｂ及びｃは、変換されたデータポイントに基づいて決定される多項式係数であり、ｓ（ｔ）は、特定の時間ｔにおける計算されたセンサ出力である。このように、試料分析システムは、試料を分析し、試料中のセンサにより測定された分析物の濃度の決定を提供するために、センサエンドポイント応答時間の全継続期間を待つ必要はもはやなくなり得る。さらに、センサ応答時間を短縮することによって、したがって試料曝露時間を短縮することによって、センサが回復するのに要する時間であるセンサ回復時間も短縮されて、より大きな処理量が可能になる。
【００１４】
本発明は、添付の図面と共に読まれるべき以下の説明を通してより完全に理解されるであろう。本説明において、同じ番号は、本発明の種々の実施形態中の同様の要素を表す。本説明中、特許請求の範囲に記載された発明は、実施形態に関して説明される。当業者であれば、本明細書に記載された方法及びシステムは例示にすぎず、本発明の精神及び範囲から逸脱することなく変更を加え得ることを容易に理解するであろう。
【００１５】
次に図面を参照すると、図１は、本発明の１つの実施形態に従う分析物濃度測定システム１０２の構成図を図示したものである。特に、分析物濃度測定システム１０２は、プロセッサ１０４、記憶装置１０６、及び記憶装置１０６中に記憶された分析物濃度測定アプリケーション１１０を含み得る。分析物濃度測定アプリケーション１１０は、概して、１個以上のセンサ１４０Ａ〜Ｎ（以後一般的にセンサ１４０と呼ぶ）と通信するように構成され得る。種々の実施形態において、センサ１４０は、分析物に曝露されたことに応答して、電圧測定信号（ｖｏｌｔｍｅｔｒｉｃ  ｓｉｇｎａｌ）又は電流測定信号（ａｍｐｅｒｏｍｅｔｒｉｃ  ｓｉｇｎａｌ）を生成し得る電気化学的センサであり得る。種々の実施形態において、第１のセンサ１４０Ａは、試料内の第１の分析物に応答し得、第２のセンサ１４０Ｂは、試料内の第２の分析物に応答し得、そして第ｎのセンサ１４０Ｎは、試料内の第ｎの分析物に応答し得る、などである。センサ１４０に関するさらなる詳細は以下に示される。
【００１６】
分析物濃度測定アプリケーション１１０は、試料内の分析物の濃度を決定するために特定の機能又はタスクを実行するように構成された１個以上のモジュールを含み得る。種々の実施形態において、分析物濃度測定アプリケーション１１０は、センサ通信モジュール１１２、データポイント報告モジュール１１４、データポイント選択モジュール１１６、曲線あてはめモジュール１１８、外挿モジュール１２０、検証モジュール１２２、及び分析物濃度報告モジュール１２４を含み得る。種々の実施形態において、分析物濃度測定アプリケーション１１０は、追加のタスクを実行するための追加のモジュールを含んでもよいし、上に列挙されたモジュールの一部のみを含んでもよいということが理解されるべきである。
【００１７】
分析物濃度測定アプリケーション１１０は、試料内の分析物に曝露された時にセンサによって生成されたデータ信号を受信し、そのデータ信号から抽出されるデータポイントを記録し、時間スケールの対数関数上のデータポイントを評価し、その評価されたデータポイントに適合する曲線を決定し、センサのエンドポイント応答を外挿するために利用され得る曲線あてはめ方程式を決定し、センサの外挿されたエンドポイント応答に基づいて分析物の濃度を正確に推定するように、概して構成され得る。
【００１８】
種々の実施形態において、センサ通信モジュール１１２は、センサ１４０からデータ信号を受信するように構成され得る。センサが電気化学的センサであり得る一部の実施形態において、データ信号は、アンペアの単位で測定され得る電流測定出力、又はボルトの単位で測定され得る電圧測定出力であり得る。種々の実施形態において、これらのデータ信号は、経時的に変化し得、典型的に、最終的に経時的に安定する出力値を生成し得る。安定化した出力値は、典型的に、センサのエンドポイント応答であり得る。分析物に曝露されたことに応答してデータ出力信号を生成し得る任意の種類のセンサがセンサ１４０として利用され得るということが理解されるべきである。
【００１９】
データポイント記録モジュール１１４は、生成されたデータ信号からデータポイントを捕捉し、記録するように構成され得る。データポイントは、分析物濃度測定システム１０２の記憶装置において、又は分析物濃度測定アプリケーション１１０によってアクセス可能な任意の他の記憶媒体にて記憶され得る。種々の実施形態において、データポイント記録モジュール１１４は、第ｎの一定期間後毎にデータ信号の測定値を記録し得る。一定期間は、分析物濃度測定アプリケーション１１０により予め規定され得る。一定期間は、既存システムの技術的制約により規定され得るものであり、いかなる特定の範囲にも限定されることは意図されていないということが理解されるべきである。しかしながら、一部の実施形態において、一定期間は、１ミリ秒〜数秒の範囲であり得る。代替的な実施形態において、データポイント記録モジュール１１４は、不規則な又は不定の期間後にデータ信号の測定値を記録し得る。
【００２０】
データポイント選択モジュール１１６は、記録されたデータポイントから適切なデータポイントを選択するように構成され得る。種々の実施形態において、データポイント選択モジュール１１６は、時間スケールの対数関数上にプロットされた場合に、選択されたデータポイントにぴったりとあてはまりかつ許容可能な限度の範囲内にあるセンサのエンドポイント応答を予測するという結果ももたらす曲線を分析物濃度測定アプリケーションが決定することを可能にし得る、データポイントを選択し得る。種々の実施形態において、最も正確な結果を提供し得るデータポイントは、経験的に決定される時間範囲から選択され得、センサ及び分析物の特性によって様々であり得る。
【００２１】
種々の実施形態において、データポイント選択モジュール１１６は、記録されたデータポイントから動的領域時間範囲に対応する一連のデータポイントを選択し得る。動的領域時間範囲とは、データポイントがセンサ応答の動的領域内にあるところの任意の時間範囲をいう。典型的に、動的領域は、センサが分析物に曝露される第１の時間から、センサによって生成されたデータ信号がセンサのエンドポイント応答と実質的に類似したものとなっていない、すなわちセンサ応答が平衡に達するまでの、第２の時間にかけて起こる。換言すれば、センサによって生成されたデータ信号がセンサのエンドポイント応答と実質的に類似した状態になれば、データ信号は、平衡領域において生成されている。種々の実施形態において、データポイント選択モジュール１１６は、動的領域時間範囲の一部に対応する一連のデータポイントを選択し得る。１つの実施形態において、時間範囲は、センサが分析物に曝露されてから約１５秒後に始まり得る。さらに、時間範囲は、センサが分析物に曝露されてから約３０秒後に終わり得る。どのデータポイントを選択すべきかについてのさらなる詳細は、以下に図４に関して示されている。
【００２２】
曲線あてはめモジュール１１８は、変換されたデータポイントが時間スケールの対数関数上で評価され得ることとなるように、選択されたデータポイントを時間スケールの対数関数に変換するように構成され得る。次いで、曲線あてはめモジュールは、その評価されたデータポイントにぴったりと適合する曲線を決定し得る。種々の実施形態において、曲線あてはめモジュール１１８は、選択されたデータポイントを時間スケールの対数関数上にプロットし得、そのプロットされたデータポイントにぴったりと適合する又はあてはまる曲線を決定し得る。曲線を決定すると、曲線あてはめモジュールは、曲線に対応する曲線あてはめ方程式を決定し得る。種々の実施形態において、曲線あてはめ方程式の方程式は、ｓ（ｔ）＝ａ（ｌｏｇ（ｔ））２＋ｂ（ｌｏｇ（ｔ））＋ｃという一般形を有する二次対数方程式であり得、式中、ａ、ｂ及びｃは、変換されたデータポイントに基づいて決定される多項式係数であり、ｓ（ｔ）は、特定の時間ｔにおける計算されたセンサ出力である。ａ、ｂ及びｃの厳密な値は、使用される各センサ構成について経験的に決定されるものであり、分析物の濃度、試料の大きさ、温度、センサ装置構成の形状寸法、及び他のパラメータによってある程度決まる。
【００２３】
外挿モジュール１２０は、曲線の平衡領域内のある時間について曲線あてはめ方程式を解くことによってセンサのエンドポイント応答を外挿するように構成され得る。種々の実施形態において、分析物濃度測定アプリケーション１０２は、経験的方法を用いて曲線の平衡領域内にある時間を決定し、次いでその決定された平衡領域時間を、それを用いて曲線あてはめ方程式を解くべき予め規定された時間として記憶し得る。
【００２４】
検証モジュール１２２は、計算されたエンドポイント応答を、変動係数（ＣＶ）及び決定係数（Ｒ２）を決定することによって検証するように構成され得る。変動係数（ＣＶ）及び決定係数（Ｒ２）を決定するための以下の式は、当該技術分野において周知であり、計算されたエンドポイント応答を検証するために検証モジュール１２２によって使用され得る。
ＣＶ＝標準偏差（ｙｉ）／平均（ｙｉ）；及び
Ｒ２＝１−（総和（（ｙｉ−ｆｉ）２）／（総和（（ｙｉ−平均（ｙｉ））２）；
式中、ｙｉ及びｆｉは、それぞれある特定の時間における実測値及び計算値である。
【００２５】
本開示により、センサ応答時間が短縮されると同時に試料曝露時間が短縮されるということが理解されるべきである。試料曝露時間の短縮の結果として、センサ、特に酵素センサ（グルコース及び乳酸塩を測定するためのセンサが挙げられるが、これらに限定されない）は、短縮されたセンサ回復時間を有し得る。センサがより速く回復し得るほど、より大きな処理量が達成され得る。
【実施例】
【００２６】
分析物濃度記録モジュール１２４は、計算されたエンドポイント応答を用いて試料内の分析物の濃度を決定し、検証モジュール１２２がＣＶ及びＲ２が許容可能な限度の範囲内にないと判断した場合はフラグ付きで分析物濃度を報告する。逆に、ＣＶ及びＲ２が許容可能な限度の範囲内にある場合は、その時は、分析物濃度記録モジュール１２４はフラグなしで分析物の濃度を報告し得る。本発明の方法に従って測定され得る分析物としては、例えば、ヘマトクリット、カルシウム、カリウム、塩化物、ナトリウム、グルコース、乳酸塩、クレアチニン、クレアチン、尿素のイオン濃度、Ｏ２及び／若しくはＣＯ２の分圧、又はそのためのセンサが存在するあらゆる他の分析物が挙げられるが、これらに限定されない。種々の実施形態において、フラグは、旗、記号として視覚的に、又は警告音、電子音として聴覚的に、又はＣＶ若しくはＲ２のいずれかが許容可能な限度の範囲内にないことを使用者に知らせ得る任意の他の表示で示され得る、データビットであり得る。
【００２７】
次に図２を参照すると、グルコースの濃度を測定するためのセンサにより生成された実験データについての時間に対する電圧の例示的なプロットが示されている。特に、プロットは、センサ１４０により生成されたデータ信号から捕捉される一連のデータポイント２０２Ａ〜Ｎを示している。データポイントは、出力値（例えば、電圧、電流、又は電荷）を示す。種々の実施形態において、生成された信号からのデータポイントは、経時的に記録され得、時間に対してプロットされ得る。図２に示されたプロットは、記録されたデータポイント２０２Ａ〜Ｎを時間に対してプロットすることによって生成されている。本実施形態において、データポイントは、１秒毎に記録される。しかしながら、種々の実施形態において、データポイントは、１秒よりも短い又は１秒よりも長い時間間隔で記録され得る。
【００２８】
１秒よりも短い時間間隔でデータポイントを記録することにより、より多くのデータが生成されるということが理解されるべきであり、これは、より正確なプロットを可能にし得るが、システムリソースによっては望ましくないことがあり得るさらなるコンピューティングリソースを利用する場合もあり得る。或いは、１秒を大幅に超える時間間隔で記録されるデータポイントは、より正確でないプロットを提供し得る。いずれにせよ、データポイント間の時間間隔の長さは、種々の要因（例えば、センサのエンドポイント応答時間、コンピューティングリソースに関する制約、センサ及び分析物の性質など）に基づいて決定され得る実施の際の選択事項（ｉｍｐｌｅｍｅｎｔａｔｉｏｎ  ｃｈｏｉｃｅ）である。
【００２９】
次に図３を参照すると、図２の実験から得られたグルコースデータの一部を用いた時間の対数関数に対する電圧の例示的なプロットが示されている。上に記載したように、センサから受信されたデータ信号に対応するデータポイントが記録されると、データポイント選択モジュール１１４は、その記録されたデータポイントから適切なデータポイントを選択し得る。次いで、その選択されたデータポイントは、対数スケール（例えば、底１０又は自然対数）に変換され得る。データポイントを対数スケールに変換すると、その変換されたデータポイント３０２Ａ〜Ｎは、時間の対数関数に対する電圧値としてプロットされる。
【００３０】
図３に示されるように、変換されたデータポイントが時間スケールの対数関数に対する電圧でプロットされると、プロット３００が示され得る。これは、曲線あてはめモジュール１１８が、変換されたデータポイント３０２Ａ〜Ｎにぴったりと適合する曲線３０６を決定することを可能にする。次いで、曲線あてはめモジュール１１８は、曲線３０６に基づいて、センサ技術において利用されている既存の曲線あてはめ方程式よりも単純な曲線あてはめ方程式を決定し得る。既存の曲線あてはめ方程式は、非線形方程式の根を求める必要があるが、本明細書に開示される技術は、そのような根を求める必要はない。非線形方程式の根を求めることは計算集約的であり、高処理量を有するシステムを扱う場合は、この問題の深刻さがより一層明らかになる。結果、分析物濃度測定システム１０２は、非線形方程式の根を求める必要のない曲線あてはめ方程式を利用することにより、既存のシステムよりも少ない計算リソースを必要とする。これは、既存のシステムに勝る種々の利点（処理量の増加、製造コストの低減、及びより小さな物理的及びエネルギーフットプリントが挙げられるが、これらに限定されない）に繋がる。さらに、曲線あてはめ方程式は、データポイントをプロットする必要もデータポイントにあてはまる曲線を描く必要もなく決定され得るので、表示工程は必要がないことがあり得るということが理解されるべきである。
【００３１】
種々の実施形態によれば、曲線あてはめ方程式は、典型的に、
ｓ（ｔ）＝ａ（ｌｏｇ（ｔ））２＋ｂ（ｌｏｇ（ｔ））＋ｃ
という一般形を有する二次対数方程式であり得、式中、ａ、ｂ及びｃは、変換されたデータポイントに基づいて決定される多項式係数であり、ｓ（ｔ）は、特定の時間ｔにおける計算されたセンサ出力である。ａ、ｂ及びｃの厳密な値は、使用される各センサ構成について経験的に決定されるものであり、分析物の濃度、試料の大きさ、温度、センサ変換器構成の形状寸法、及び他のパラメータによってある程度決まる。ａ、ｂ及びｃの値がセンサ構成について決定されると、曲線あてはめ方程式が使用されて、試料中の分析物の濃度が迅速に推定され得る。本発明によれば、分析物濃度を決定するためにセンサがその最終の読みを与えるのを待つ必要がない。
【００３２】
変換されるべきデータポイントの選択が、曲線あてはめ方程式の精度を決定することにおいて重要な役割を果たすということが理解されるべきである。しかし従来の見識は、あてはめられる曲線を決定するために利用されるデータポイントの数が多ければ多いほど好ましいということを示唆するであろう。
【００３３】
本発明は、そのような見識が必ずしもあてはまらないことを開示している。むしろ、データポイントが選択される範囲の方が、なおさらに重要な役割を果たし得る。種々の実施形態において、時間スケールの対数関数に変換されるために選択されたデータポイントは、分析物がセンサに最初に曝露されてから１５〜３０秒後に生成されたデータポイントであった。他の実施形態において、分析物がセンサに最初に曝露されてから１５〜３５秒後からのデータポイントは、精度の著しい改善なしに使用された。同様に、分析物がセンサに最初に曝露されてから１０〜２５秒後からのデータポイントが使用されたが、十分に正確ではないいくつかの結果を生じた。選択されるデータポイントは、他の要因の中でも特に、センサ及び分析物の種類、エンドポイント応答時間に基づき変化し得るということが理解されるべきである。種々の実施形態において、データポイントを選択するための時間範囲は、経験的方法によって決定され得る。
【００３４】
上に記載したように、センサのエンドポイント応答値は、センサ応答曲線の平衡領域内にある時間について方程式を解くことによって計算され得る。エンドポイント分析物関連値が曲線あてはめ方程式を用いて計算されると、エンドポイント応答値は、例えば較正値（例えば、定量（ｒａｔｉｏｎ）、較正点、差値など）を含む方法を用いて、分析物の濃度に対応する値に変換される。
【００３５】
次に図４を参照すると、試料内の分析物の濃度を推定するための例示的な論理流れ図が示されている。ルーチン４００は操作４０２から始まり、操作４０２で、センサ１４０が、分析物を含有する試料に曝露される。上に記載したように、電気化学的センサ１４０は、試料内の分析物の濃度のレベルに応答し得る。
【００３６】
操作４０２から、ルーチン４００は操作４０４に進み、操作４０４で、センサ１４０が、分析物への曝露に応答して１つ以上のデータ信号を生成し得る。種々の実施形態において、データ信号は、電圧、電流、電荷の形態、又は任意の他の種類の測定可能な出力であり得る。これらのデータ信号は、分析物への曝露の間中、センサ１４０によって連続的に生成されている。
【００３７】
操作４０４から、ルーチン４００は操作４０６に進み、操作４０６で、データポイント記録モジュール１１４が、データ信号からデータポイントを記録し得る。これらのデータポイントが記録される際の粒度は、他の要因の中でも特に、センサの種類、分析物の量、試料の大きさ、温度によって決定され得る。１つの実施形態において、データ信号は、１秒毎に記録される。しかしながら、これらのデータポイントが記録される頻度は、毎秒１データポイントより高くてもよいし、低くてもよいということが理解されるべきである。データポイントは、分析物濃度測定システム１０２の記憶装置内に記憶されてもよいし、分析物濃度測定アプリケーション１１０によってアクセス可能な場所に遠隔記憶されてもよい。
【００３８】
操作４０６から、ルーチン４００は操作４０８に進み、操作４０８で、データポイント選択モジュール１１６が、データポイント記録モジュール１１４によって記録されたデータポイントの一部を選択し得る。種々の実施形態において、データポイント選択モジュール１１６は、プロットされた場合に、将来の時間に外挿されるとセンサ１４０の実際の結果に近似する結果を生成する方程式を有する曲線を決定するのに役立ち得る、データポイントを選択し得る。種々の実施形態において、データポイント選択モジュール１１６は、任意の数のデータポイントを選択し得る。データポイントを選択する際にデータポイント選択モジュール１１６が考慮しなければならない相殺バランスがある。あまりに多すぎるデータポイントを選択することは、あてはめられる曲線の精度に悪影響を与え得る外れ値の数も増加させ得、また、時間があまりに先過ぎるデータポイントを選択することは、分析物濃度測定システム１０２が分析物濃度を決定し得る時間を遅延させ得る。特に、記録された最初の少数のデータポイントを選択することは、分析物濃度測定システムに不正確な結果を生じさせる原因となり得る。これは、センサ１４０が、分析物に最初に曝露された時に、他の望ましくない影響の中でも特に、ノイズ信号を生成し得るからである。したがって、経験的方法に基づいて、動的領域からではあるがセンサ１４０の初期応答後のものから選択されるデータポイントは、精度について著しく妥協することなしに、最も短い時間で分析物の濃度を決定する必要性のバランスを取りながら、最も正確な結果を生成し得る。
【００３９】
操作４０８から、ルーチン４００は操作４１０に進み、操作４１０で、曲線あてはめモジュール１１８が、特定の時間に対応する出力値を有する選択されたデータポイントを時間の対数関数の単位に変換する。種々の実施形態において、対数スケールの底は、底１０であり得る、又は自然対数（ln e）であり得る。そうすることにより、プロットされた変換されたデータポイントによって生成される曲線は、既存のあてはめ方程式に比べてより正確であり得、かつより少ないデータポイントを利用する。
【００４０】
操作４１０から、ルーチン４００は操作４１２に進み、操作４１２で、曲線あてはめモジュール１１８が、変換されたデータポイントをグラフ上にプロットし得る。種々の実施形態において、Ｙ軸は、センサ１４０により生成されたデータ信号から収集された出力値であり、Ｘ軸は、時間の対数関数である。操作４１２から、ルーチン４００は操作４１４に進み、操作４１４で、曲線あてはめモジュール１１８が、プロットされたグラフについて曲線あてはめ方程式を決定し得る。種々の実施形態において、曲線あてはめモジュール１１８は、ｓ（ｔ）＝ａ（ｌｏｇ（ｔ））２＋ｂ（ｌｏｇ（ｔ））＋ｃという形を有する二次対数多項式である曲線あてはめ方程式を決定し得、式中、ａ、ｂ及びｃは、変換されたデータポイントに基づいて決定される多項式係数であり、ｓ（ｔ）は、特定の時間ｔにおける計算されたセンサ出力である。ａ、ｂ及びｃの厳密な値は、使用される各センサ構成について経験的に決定されるものであり、分析物の濃度、試料の大きさ、温度、構成の形状寸法、及び他のパラメータによってある程度決まる。曲線あてはめモジュールは、データポイントにあてはまる曲線を決定するために、必ずしもデータポイントをプロットしなくてもよいということが理解されるべきである。一部の実施形態において、曲線あてはめモジュール１１８は、データポイントをプロットする必要なしに、データポイントにあてはまる曲線を決定することができ得る。市販の曲線あてはめソフトウェアが、選択されたデータポイントにあてはまる曲線及び対応する方程式を決定するために利用され得る。
【００４１】
操作４１４から、ルーチン４００は操作４１６に進み、操作４１６で、外挿モジュール１２０が、平衡領域の範囲内にある時間について曲線あてはめ方程式を解くことによって、センサ１４０の計算されたエンドポイント応答を外挿する。操作４１６から、ルーチン４００は操作４１８に進み、操作４１８で、検証モジュール１２２が、精度についてエンドポイント応答を検証する。一部の実施形態によれば、検証プロセスは、上に示されている変動係数（ＣＶ）及び決定係数（Ｒ２）の式を用いてＣＶ及びＲ２を決定することを含む。
【００４２】
操作４１８から、ルーチン４００は操作４２０に進み、操作４２０で、検証モジュールは、ＣＶ及びＲ２が分析物濃度測定システム１０２により予め規定された許容可能な限度の範囲内にあるか否かを判断する。種々の実施形態において、これらの限度は、当業者により既知であり得る許容可能な範囲に入るＣＶ及びＲ２を考慮し得る。１つの実施形態において、この限度は、０．９８〜１の間に入るＲ２を考慮し得る。決定係数（Ｒ２）は、どの程度よくデータ及び曲線あてはめ関数が適合しているかを示す。Ｒ２の値が近ければ近いほど、より良い適合である。
【００４３】
操作４２０において、検証モジュール１２２がＣＶ、Ｒ２のいずれか又はＣＶ及びＲ２の両方が許容可能な限度の範囲内にないと判断した場合は、ルーチン４００は操作４２２に進み、操作４２２で、分析物濃度報告モジュール１２４が、外挿されたエンドポイント応答を用いて分析物の濃度を決定し、結果が許容可能な限度の範囲内にないことを示すフラグ付きで分析物濃度を報告する。
【００４４】
しかしながら、操作４２０において、検証モジュール１２２がＣＶ及びＲ２の両方が許容可能な限度の範囲内にあると判断した場合は、ルーチン４００は操作４２４に進み、操作４２４で、分析物濃度報告モジュール１２４が、外挿されたエンドポイント応答を用いて分析物の濃度を決定し、フラグなしで分析物濃度を報告する。操作４２２及び４２４から、ルーチン４００は、操作４２６で終了する。
【００４５】
種々の実施形態によれば、センサ１４０の較正のためのシステムを提供することが望ましいことがあり得る。分析物濃度を測定するための自己較正システムを、センサの製造時の不正確さを補正するために使用し得、そうすることで製造時間及びコストを削減し得る。さらに、自己較正システムは、センサ又は分析物濃度測定システム１０２の他の構成要素によって生成される小規模のノイズを補償するために使用され得る。
【００４６】
種々の実施形態によれば、本明細書に示される開示内容は、電気化学的センサの重要な応答時間を決定するための時間を短縮するために利用され得る。一部の実施形態において、電気化学的センサは、例えばｐＯ２、ｐＣＯ２、グルコース及び乳酸塩の濃度レベルを計算するために、拡散制御応答環境において使用され得る。また、当該方法は、Ｎａ、Ｋ、Ｃｌ及びＣａなどのイオン選択性電極のエンドポイント検出のためにも使用され得る。しかしながら、そのようなセンサは典型的に速い応答を示すので、エンドポイントセンサ応答予測は必要でないことがあり得る。
【図１】
0005976809.tif 000004
【図２】
0005976809.tif 000005
【図３】
0005976809.tif 000006
【図４】
0005976809.tif 000007